【手続補正書】
【提出日】平成23年6月10日(2011.6.10)
【手続補正１】
【補正対象書類名】明細書
【補正対象項目名】０００７
【補正方法】変更
【補正の内容】
【０００７】
本発明に係る冷凍サイクル装置は、圧縮機、凝縮器として動作する熱源側熱交換器、膨張手段、及び、蒸発器として動作する利用側熱交換器を備え、これらを冷媒配管によって環状に接続した冷媒回路と、前記圧縮機と前記熱源側熱交換器とを接続する前記冷媒配管に設置された電磁弁と、前記圧縮機、前記膨張手段及び前記電磁弁を制御する制御装置と、該制御装置に接続され、外気温度を検出する外気温度検出手段と、を備え、前記制御装置は、所定の停止指令を受信した際、前記外気温度検出手段によって検出された前記外気温度が所定温度よりも低いと判断した場合、前記膨張手段を全閉状態にし、前記電磁弁を開状態にし、そして、前記圧縮機を起動した状態を所定時間維持して、前記電磁弁から前記熱源側熱交換器を経由して前記膨張手段までの前記冷媒回路内（以下、冷媒収容部分という）に前記冷媒を取り込ませる冷媒収容動作を実施し、前記所定時間後、前記電磁弁を閉状態にし、かつ、前記圧縮機を停止させることによって、前記冷媒収容部分に前記冷媒を収容させる運転停止動作を実施することを特徴とする。
【手続補正２】
【補正対象書類名】特許請求の範囲
【補正対象項目名】全文
【補正方法】変更
【補正の内容】
【特許請求の範囲】
【請求項１】
圧縮機、凝縮器として動作する熱源側熱交換器、膨張手段、及び、蒸発器として動作する利用側熱交換器を備え、これらを冷媒配管によって環状に接続した冷媒回路と、
前記圧縮機と前記熱源側熱交換器とを接続する前記冷媒配管に設置された電磁弁と、
前記圧縮機、前記膨張手段及び前記電磁弁を制御する制御装置と、
該制御装置に接続され、外気温度を検出する外気温度検出手段と、
を備え、
前記制御装置は、所定の停止指令を受信した際、前記外気温度検出手段によって検出された前記外気温度が所定温度よりも低いと判断した場合、
前記膨張手段を全閉状態にし、前記電磁弁を開状態にし、そして、前記圧縮機を起動した状態を所定時間維持して、前記電磁弁から前記熱源側熱交換器を経由して前記膨張手段までの前記冷媒回路内（以下、冷媒収容部分という）に前記冷媒を取り込ませる冷媒収容動作を実施し、
前記所定時間後、前記電磁弁を閉状態にし、かつ、前記圧縮機を停止させることによって、前記冷媒収容部分に前記冷媒を収容させる運転停止動作を実施する
ことを特徴とする冷凍サイクル装置。
【請求項２】
圧縮機、凝縮器として動作する利用側熱交換器、膨張手段、及び、蒸発器として動作する熱源側熱交換器を備え、これらを冷媒配管によって環状に接続した冷媒回路と、
前記圧縮機と前記利用側熱交換器とを接続する前記冷媒配管に設置された電磁弁と、
前記圧縮機、前記膨張手段及び前記電磁弁を制御する制御装置と、
該制御装置に接続され、外気温度を検出する外気温度検出手段と、
を備え、
前記制御装置は、所定の停止指令を受信した際、前記外気温度検出手段によって検出された前記外気温度が所定温度よりも低いと判断した場合、
前記膨張手段を全閉状態にし、前記電磁弁を開状態にし、そして、前記圧縮機を起動した状態を所定時間維持して、前記電磁弁から前記利用側熱交換器を経由して前記膨張手段までの前記冷媒回路内（以下、冷媒収容部分という）に前記冷媒を取り込ませる冷媒収容動作を実施し、
前記所定時間後、前記電磁弁を閉状態にし、かつ、前記圧縮機を停止させることによって、前記冷媒収容部分に前記冷媒を収容させる運転停止動作を実施する
ことを特徴とする冷凍サイクル装置。
【請求項３】
圧縮機、四方弁、熱源側熱交換器、膨張手段及び利用側熱交換器を備え、これらを冷媒配管によって接続した冷媒回路と、
前記圧縮機から前記四方弁を介した前記熱源側熱交換器までの前記冷媒配管に設置された電磁弁と、
前記圧縮機、前記四方弁、前記膨張手段及び前記電磁弁を制御する制御装置と、
該制御装置に接続され、外気温度を検出する外気温度検出手段と、
を備え、
前記制御装置は、所定の停止指令を受信した際、前記外気温度検出手段によって検出された前記外気温度が所定温度よりも低いと判断した場合、
前記四方弁を前記熱源側熱交換器が凝縮器として、かつ、前記利用側熱交換器が蒸発器として動作するように前記冷媒が前記冷媒回路内を流通するような状態（以下、冷媒収容側という）に切り替え、前記膨張手段を全閉状態にし、前記電磁弁を開状態にし、そして、前記圧縮機を起動した状態を所定時間維持して、前記電磁弁から前記熱源側熱交換器を経由して前記膨張手段までの前記冷媒回路内（以下、冷媒収容部分という）に前記冷媒を取り込ませる冷媒収容動作を実施し、
前記所定時間後、前記電磁弁を閉状態にし、かつ、前記圧縮機を停止させることによって、前記冷媒収容部分に前記冷媒を収容させる運転停止動作を実施する
ことを特徴とする冷凍サイクル装置。
【請求項４】
圧縮機、四方弁、熱源側熱交換器、膨張手段及び利用側熱交換器を備え、これらを冷媒配管によって接続した冷媒回路と、
前記圧縮機から前記四方弁を介した前記利用側熱交換器までの前記冷媒配管に設置された電磁弁と、
前記圧縮機、前記四方弁、前記膨張手段及び前記電磁弁を制御する制御装置と、
該制御装置に接続され、外気温度を検出する外気温度検出手段と、
を備え、
前記制御装置は、所定の停止指令を受信した際、前記外気温度検出手段によって検出された前記外気温度が所定温度よりも低いと判断した場合、
前記四方弁を前記利用側熱交換器が凝縮器として、かつ、前記熱源側熱交換器が蒸発器として動作するように前記冷媒が前記冷媒回路内を流通するような状態（以下、冷媒収容側という）に切り替え、前記膨張手段を全閉状態にし、前記電磁弁を開状態にし、そして、前記圧縮機を起動した状態を所定時間維持して、前記電磁弁から前記利用側熱交換器を経由して前記膨張手段までの前記冷媒回路内（以下、冷媒収容部分という）に前記冷媒を取り込ませる冷媒収容動作を実施し、
前記所定時間後、前記電磁弁を閉状態にし、かつ、前記圧縮機を停止させることによって、前記冷媒収容部分に前記冷媒を収容させる運転停止動作を実施する
ことを特徴とする冷凍サイクル装置。
【請求項５】
前記制御装置が前記冷媒収容動作を実施する前に、前記圧縮機が起動状態、かつ、前記四方弁が前記冷媒収容側となっている場合、前記冷媒収容動作における前記所定時間を第１所定時間とし、
前記制御装置が前記冷媒収容動作を実施する前に、前記圧縮機が停止状態となっている場合、前記冷媒収容動作における前記所定時間を第２所定時間とした場合、
該第２所定時間は、前記第１所定時間よりも大きい
ことを特徴とする請求項３又は請求項４記載の冷凍サイクル装置。
【請求項６】
前記制御装置は、前記冷媒収容動作を実施する前に、前記圧縮機が起動状態、かつ、前記四方弁が前記冷媒収容側となっていない場合、
前記圧縮機を一定時間停止させ、
前記一定時間経過後に、前記所定時間を前記第２所定時間として前記冷媒収容動作を実施する
ことを特徴とする請求項５記載の冷凍サイクル装置。
【請求項７】
前記制御装置は、前記停止指令を受信した際、前記外気温度検出手段によって検出された前記外気温度が所定温度以上であると判断した場合、前記膨張手段及び前記電磁弁の状態を変えずに、前記圧縮機を停止させる
ことを特徴とする請求項１又は請求項２記載の冷凍サイクル装置。
【請求項８】
前記制御装置は、前記停止指令を受信した際、前記外気温度検出手段によって検出された前記外気温度が所定温度以上であると判断した場合、前記四方弁、前記膨張手段及び前記電磁弁の状態を変えずに、前記圧縮機を停止させる
ことを特徴とする請求項３〜請求項６のいずれかに記載の冷凍サイクル装置。
【請求項９】
請求項１〜請求項８のいずれかに記載の冷凍サイクル装置を搭載した
ことを特徴とする空気調和機。